(57)【特許請求の範囲】
【請求項１】
設置面に配置されるベース部と、
該ベース部の前端側で、角度調整機構を介在させて、前記ベース部に軸支される回動軸を有し、該回動軸を中心とした後上がりに前記ベース部から立ち上がる傾斜角度を、前記角度調整機構により調整されるとともに、前記回動軸の上方付近に設けられた弾性変形部により、上下に揺動可能とし、かつ、シートを組付可能として、前記ベース部の上方に配設されるシートフレーム部と、
を備えて構成されるバウンサーであって、
前記角度調整機構が、
前記シートフレーム部の前記回動軸に連結されて、対向して後方に延びる縦杆と、両側の前記縦杆の先端相互を連結するように、左右方向に沿って配設される横杆と、を設けたＵ字状のシート側調整部と、
前記シート側調整部の前記横杆の後方側で、左右方向に沿って前記ベース部に配設される支持軸と、
前記シート側調整部の前記横杆を収納可能に、それぞれ、前方側に開口を設けて後方側に向かって凹むように形成されるとともに、前記支持軸から略半径方向に沿ってずれて配置される少なくとも３つ以上の収納溝を有して、異なった前記収納溝に前記横杆を収納することにより、前記シートフレーム部の傾斜角度を調整可能として、前記支持軸に回動可能に支持される角度調整具と、
を備えて構成され、
前記角度調整具が、
全ての前記収納溝の開口側を連通させるように、前記支持軸の軸支部から連なって延びて、前記横杆を移動可能な移動用開口部、を設けた環状体として構成されるとともに、
前記軸支部から離れた上端側を前方へ付勢する付勢手段、を設けて構成され、
前記移動用開口部が、
前記軸支部から最も離れた前記収納溝の開口より前記軸支部から離れた先端に、前記横杆を収納可能な先端凹部を設け、
前記軸支部側に、前記ベース部に重ねるように前記シートフレーム部を折り畳む際に、前記横杆を収納可能な元部側凹部を設けて構成されていることを特徴とするバウンサー。
【請求項２】
前記ベース部における前記支持軸の後方側に、左右方向に沿う横軸が配設され、
前記角度調整具が、
弾性反発力を発揮可能な合成樹脂から形成されるとともに、
前記横軸に対して、前記軸支部から離れた上端側を前方へ付勢するように、圧接する前記付勢手段としての弾性変形部を、一体的に配設させて、
構成されていることを特徴とする請求項１に記載のバウンサー。
【請求項３】
前記角度調整具の前記弾性変形部が、
左右方向に沿った軸心を有して、外周面を前記横軸に圧接可能に、前記横軸側に突出する略半割り円筒状として形成されるとともに、
前記横杆の前記軸支部から前記先端凹部まで移動する際の前記支持軸周りの前記角度調整具の回転時に、前記横軸と圧接される外周エリアにおいて、
前記元部側凹部から前記横杆を離脱させた位置付近から、前記軸支部から最も離れた前記収納溝の開口から前記横杆を離脱させる位置付近まで、前記角度調整具における前記軸支部から離れた上端側を前方へ付勢可能な付勢エリアと、
該付勢エリアに隣接して、前記先端凹部への前記横杆の収納時に、弾性変形して前記横軸を収納し、前記角度調整具を静止可能な静止エリアと、
を備え、
前記角度調整具の前記移動用開口部が、前記軸支部に最も近い前記収納溝に対向する内周面に、該収納溝側に隆起する突条を備え、
該突条が、
前記横軸を前記静止エリアに収納させた前記角度調整具の静止状態の際、下降する前記横杆と干渉して、前記支持軸周りで前記角度調整具を前方に回転させて、前記横軸を前記付勢エリアに配置可能で、かつ、
前記付勢エリアの付勢力による前記角度調整具の前方回転時に、前記横杆を、前記突条から離脱させて、前記横杆を前記軸支部に最も近い前記収納溝に収納させるように案内可能な案内用突条として、
構成されていることを特徴とする請求項２に記載のバウンサー。
【請求項４】
前記移動用開口部が、前記案内用突条に隣接する前記軸支部側の内周面に、折畳用凹部を備え、
該折畳用凹部が、
前記横軸を前記静止エリアに収納させた状態を維持して、前記横杆の前記案内用突条のエリアを通過可能な下り傾斜面と、
該下り傾斜面に連なり、前記支持軸周りで前記角度調整具を前方に回転させて、前記横軸を前記付勢エリアに配置可能に、前記横杆と干渉する干渉面と、
を備えていることを特徴とする請求項３に記載のバウンサー。
【請求項５】
前記角度調整具の前記移動用開口部が、前記元部側凹部の周縁における前記横杆の前記元部側凹部からの離脱側の縁に、前記横杆を、係止解除可能に係止する係止突起を配設させていることを特徴とする請求項１乃至請求項４のいずれか１項に記載のバウンサー。
【請求項６】
前記シートが、幼児の着座時の臀部付近を収納する凹部と、該凹部の下縁付近から下方に延びて幼児の下肢付近を受け止める平面部と、を備え、
前記シートフレーム部が、前記シートの前記凹部と前記平面部との境界部位付近の左右方向の離隔寸法を、上下の近傍部位より広げる幅広部を設けて、前記シートを組み付ける左右の縦杆部、を配設させていることを特徴とする請求項１乃至請求項５のいずれか１項に記載のバウンサー。
【発明の詳細な説明】
【技術分野】
【０００１】
本発明は、幼児をシートに載せるように着座させた状態で、シートを揺りかごのように揺動させることができるパウンサーに関する。
【背景技術】
【０００２】
従来のバウンサーでは、設置面に配置されるベース部と、ベース部の上方に配設されて、シートを組み付けるシートフレーム部と、を備えて構成されていた（例えば、特許文献１参照）。シートフレーム部は、ベース部の前端側で、角度調整機構を介在させて、ベース部に軸支される回動軸を有し、そして、この回動軸を中心とした後上がりにベース部から立ち上がる傾斜角度を、角度調整機構により調整される構成としていた。
【０００３】
角度調整機構は、シート側調整部と、角度調整用の複数の収納溝を備えた角度調整具と、ベース部に配設されて角度調整具を回動可能に支持する支持軸と、を備えて構成されていた。シート側調整部は、シートフレーム部の回動軸に連結されて、対向して後方に延びる縦杆と、両側の縦杆の先端相互を連結するように、左右方向に沿って配設される横杆と、を設けたＵ字状としていた。そして、角度調整具の複数の収納溝は、横杆を収納可能に、それぞれ、前方側に開口を設けて後方側に向かって凹むように形成されて、支持軸から略半径方向に沿ってずれて配置されていた。
【０００４】
このバウンサーでは、支持軸に回動可能に支持された角度調整具を回動操作しつつ、所定の収納溝に横杆を収納させれば、横杆を収納する収納溝の高さ位置に対応して、シートフレーム部が、傾斜角度を増減させるように、調整できた。
【０００５】
なお、他のバウンサーとしては、上記の角度調整具を横杆側に回動可能に支持させ、そして、上記のベース部の支持軸側を角度調整具の複数の収納溝に収納させるような構成のバウンサーもあった（例えば、特許文献２，３参照）。
【先行技術文献】
【特許文献】
【０００６】
【特許文献１】特開２００７−１５９７０９号公報
【特許文献２】特開２００７−２８２９２７号公報
【特許文献３】特表２００９−５４２３１５号公報
【発明の概要】
【発明が解決しようとする課題】
【０００７】
しかし、従来のバウンサーでは、シートフレーム部の傾斜角度を調整する際、角度調整具の所定の収納溝に対し、シート側調整部の横杆やベース部側の支持軸を収納させるように、一方の手で、角度調整具を持ち、他方の手で、シートフレーム部を持ち上げて、所定の収納溝の高さに、対応する横杆等を収納することとなっていた。すなわち、従来のバウンサーでは、シートフレーム部の傾斜角度を調整する際、両手が塞がり、簡便にシートフレーム部の傾斜角度を調整できなかった。そのため、例えば、シートフレーム部に組み付けたシートに幼児を載せたままでは、幼児の重量がシートフレーム部に掛かることから、安全に、傾斜角度を調整し難く、幼児をシートから下した状態で、シートフレーム部の傾斜角度を調整することとなって、シートフレーム部の角度調整に手間がかかっていた。
【０００８】
本発明は、上述の課題を解決するものであり、シートフレーム部の傾斜角度の調整を簡便に行うことができるバウンサーを提供することを目的とする。
【課題を解決するための手段】
【０００９】
本発明に係るバウンサーは、設置面に配置されるベース部と、
該ベース部の前端側で、角度調整機構を介在させて、前記ベース部に軸支される回動軸を有し、該回動軸を中心とした後上がりに前記ベース部から立ち上がる傾斜角度を、前記角度調整機構により調整されるとともに、前記回動軸の上方付近に設けられた弾性変形部により、上下に揺動可能とし、かつ、シートを組付可能として、前記ベース部の上方に配設されるシートフレーム部と、
を備えて構成されるバウンサーであって、
前記角度調整機構が、
前記シートフレーム部の前記回動軸に連結されて、対向して後方に延びる縦杆と、両側の前記縦杆の先端相互を連結するように、左右方向に沿って配設される横杆と、を設けたＵ字状のシート側調整部と、
前記シート側調整部の前記横杆の後方側で、左右方向に沿って前記ベース部に配設される支持軸と、
前記シート側調整部の前記横杆を収納可能に、それぞれ、前方側に開口を設けて後方側に向かって凹むように形成されるとともに、前記支持軸から略半径方向に沿ってずれて配置される少なくとも３つ以上の収納溝を有して、異なった前記収納溝に前記横杆を収納することにより、前記シートフレーム部の傾斜角度を調整可能として、前記支持軸に回動可能に支持される角度調整具と、
を備えて構成され、
前記角度調整具が、
全ての前記収納溝の開口側を連通させるように、前記支持軸の軸支部から連なって延びて、前記横杆を移動可能な移動用開口部、を設けた環状体として構成されるとともに、
前記軸支部から離れた上端側を前方へ付勢する付勢手段、を設けて構成され、
前記移動用開口部が、
前記軸支部から最も離れた前記収納溝の開口より前記軸支部から離れた先端に、前記横杆を収納可能な先端凹部を設け、
前記軸支部側に、前記ベース部に重ねるように前記シートフレーム部を折り畳む際に、前記横杆を収納可能な元部側凹部を設けて構成されていることを特徴とする。
【００１０】
本発明に係るバウンサーでは、ベース部にシートフレーム部を重ねた折畳状態から、シートフレーム部の後端側を持ち上げると、付勢手段の付勢力により、角度調整具が上端側を前方に付勢される状態となる。そして、シート側調整部の横杆も、シートフレーム部と同様に、持ち上がり、角度調整具の移動用開口部における収納溝側の内周面を、元部側凹部から離脱しつつ、摺動する。そして、横杆が、軸支部に最も近い収納溝の開口の位置に配置されると、付勢手段の付勢力により、横杆をその収納溝に収納するように、角度調整具が前方移動（前方回転）する。さらに、シートフレーム部を持ち上げると、横杆が、角度調整具を付勢手段の付勢力に抗して後方側に移動させ（後方回転させ）、収納されていた収納溝から離脱し、ついで、軸支部から二番目に遠い収納溝の開口の位置に配置され、そして、その配置位置では、再度、付勢手段の付勢力により、横杆をその収納溝に収納するように、角度調整具が前方移動（前方回転）する。
【００１１】
すなわち、シートフレーム部を持ち上げるにしたがって、付勢手段の付勢力を利用して、軸支部に近い順の収納溝に、順次、横杆が収納されることとなって、角度調整具を手で持たなくとも、シートフレーム部の傾斜角度を小さく規定する順の収納溝に、横杆を自動的に収納でき、角度調整具を手で持たなくともよい分、容易にシートフレーム部の角度調整を行うことができる。
【００１２】
したがって、本発明に係るバウンサーでは、シートフレーム部の傾斜角度の調整を簡便に行うことができる。
【００１３】
そして、本発明に係るバウンサーでは、前記ベース部における前記支持軸の後方側に、左右方向に沿う横軸が配設され、
前記角度調整具が、
弾性反発力を発揮可能な合成樹脂から形成されるとともに、
前記横軸に対して、前記軸支部から離れた上端側を前方へ付勢するように、圧接する前記付勢手段としての弾性変形部を、一体的に配設させて、
構成されていることが望ましい。
【００１４】
このような構成では、角度調整具の後部側に付勢手段としての弾性変形部が一体的に配設されており、別途、ばね等の部品を使用することなく、部品点数を抑制して、バウンサーを構成することができる。
【００１５】
そして、角度調整具に弾性変形部を形成する場合、本発明に係るバウンサーでは、前記角度調整具の前記弾性変形部が、
左右方向に沿った軸心を有して、外周面を前記横軸に圧接可能に、前記横軸側に突出する略半割り円筒状として形成されるとともに、
前記横杆の前記軸支部から前記先端凹部まで移動する際の前記支持軸周りの前記角度調整具の回転時に、前記横軸と圧接される外周エリアにおいて、
前記元部側凹部から前記横杆を離脱させた位置付近から、前記軸支部から最も離れた前記収納溝の開口から前記横杆を離脱させる位置付近まで、前記角度調整具における前記軸支部から離れた上端側を前方へ付勢可能な付勢エリアと、
該付勢エリアに隣接して、前記先端凹部への前記横杆の収納時に、弾性変形して前記横軸を収納し、前記角度調整具を静止可能な静止エリアと、
を備え、
前記角度調整具の前記移動用開口部が、前記軸支部に最も近い前記収納溝に対向する内周面に、該収納溝側に隆起する突条を備え、
該突条が、
前記横軸を前記静止エリアに収納させた前記角度調整具の静止状態の際、下降する前記横杆と干渉して、前記支持軸周りで前記角度調整具を前方に回転させて、前記横軸を前記付勢エリアに配置可能で、かつ、
前記付勢エリアの付勢力による前記角度調整具の前方回転時に、前記横杆を、前記突条から離脱させて、前記横杆を前記軸支部に最も近い前記収納溝に収納させるように案内可能な案内用突条として、
構成されていることが望ましい。
【００１６】
このような構成では、横杆を移動用開口部の元部側凹部から離脱させて先端凹部に収納させるまでは、弾性変形部の付勢エリアに横軸が圧接されて、順次、軸支部から遠ざかる順の収納溝に横杆を収納して、小さい傾斜角度から大きな傾斜角度と調整するように、シートフレーム部を配置させることができる。そして、横杆を移動用開口部の先端凹部に収納させると、横軸が弾性変形部の静止エリアに収納されて、角度調整具が、その配置状態で、静止する。ついで、シートフレーム部を下げて、横杆を移動用開口部の先端凹部から下方に移動させる。この下方移動時、横杆が、案内用突条と干渉して、横軸の圧接部位を静止エリアから付勢エリアに配置させるように、角度調整具を回転させる。そして、付勢エリアに横軸が圧接されることにより、角度調整具が、前方回転するように前方側へ付勢され、案内用突条から離脱する横杆を軸支部に最も近い収納溝に収納させ、その結果、シートフレーム部が、最も小さな傾斜角度位置に配置される。
【００１７】
すなわち、横杆を移動用開口部の先端凹部に収納させた後では、一旦、横杆とともにシートフレーム部を下降させるだけで、再度、角度調整具を手で持つこと無く、軸支部に近い収納溝に収納でき、その後、順次、軸支部から遠ざかる順の収納溝に、横杆を収納させることができて、所定の傾斜角度に、シートフレーム部を配置させることができる。勿論、横杆を移動用開口部の先端凹部に収納させる際も、角度調整具を手で持たなくともよい。そのため、傾斜角度を大きくした後、小さな角度に戻したりする調整を、角度調整具を手で持たなくとも、簡便に行なえる。また、この調整中、シートフレーム部から手を離しても、横杆の案内用突条との干渉を利用して、確実に、軸支部に最も近い収納溝に横杆を収納でき、シートフレーム部を急激に折畳状態に落下させるような事態を避けることができ、安全に、シートフレーム部の傾斜角度を調整できる。
【００１８】
さらに、この場合、本発明に係るバウンサーでは、前記移動用開口部が、前記案内用突条に隣接する前記軸支部側の内周面に、折畳用凹部を備え、
該折畳用凹部が、
前記横軸を前記静止エリアに収納させた状態を維持して、前記横杆の前記案内用突条のエリアを通過可能な下り傾斜面と、
該下り傾斜面に連なり、前記支持軸周りで前記角度調整具を前方に回転させて、前記横軸を前記付勢エリアに配置可能に、前記横杆と干渉する干渉面と、
を備えていることが望ましい。
【００１９】
このような構成では、シートフレーム部をベース部に重ねる折畳状態とする際、横杆が案内用突条と干渉しても、横軸が静止エリアから外れないように、角度調整具を持って、横杆を、案内用突条のエリアから折畳用凹部の下り傾斜面に配置する。その後、角度調整具から手を離して、シートフレーム部を下げると、横杆が折畳用凹部の干渉面と干渉して、横杆が角度調整具を前方回転させる。そして、静止エリアから付勢エリアに横軸の圧接部位が変わることから、横杆が、移動用開口部における収納溝側の内周面に当接し、シートフレーム部をさらに下げるに従って、元部側凹部に収納されて、円滑に、シートフレーム部の折畳状態に移行できる。
【００２０】
したがって、上記のような構成では、横杆が案内用突条のエリアを通過する時だけ、角度調整具を持つ必要が生ずるものの、他の傾斜角度の調整や折畳作業は、角度調整具をもつ必要が無く、簡便にシートフレーム部の上げ下げや折り畳みを行うことができる。
【００２１】
また、本発明に係るバウンサーでは、前記角度調整具の前記移動用開口部が、前記元部側凹部の周縁における前記横杆の前記元部側凹部からの離脱側の縁に、前記横杆を、係止解除可能に係止する係止突起を配設させていることが望ましい。
【００２２】
このような構成では、折畳状態のシートフレーム部が、横杆を係止突起に係止させて、折畳状態を維持できることから、折り畳んでバウンサーを持ち運ぶ際、シートフレーム部とベース部とが開かず、容易に、バウンサーを持ち運ぶことができる。勿論、係止突起は、係止解除可能に横杆を係止していることから、折畳状態のシートフレーム部の後端側を所定の強い力加減で持ち上げれば、横杆が、係止突起の係止から解除されて、元部側凹部から離脱し、所定の収納溝に収納可能となる。
【００２３】
さらに、本発明に係るバウンサーでは、前記シートが、幼児の着座時の臀部付近を収納する凹部と、該凹部の下縁付近から下方に延びて幼児の下肢付近を受け止める平面部と、を備え、
前記シートフレーム部が、前記シートの前記凹部と前記平面部との境界部位付近の左右方向の離隔寸法を、上下の近傍部位より広げる幅広部を設けて、前記シートを組み付ける左右の縦杆部、を配設させていることが望ましい。
【００２４】
このような構成では、シートをシートフレーム部に組み付けて使用する際、シートの凹部の平面部側の縁付近に、最も、幼児の荷重が作用し易く、その部位の左右の縦杆部が、狭まろうとする。しかし、シートフレーム部の左右の縦杆部が、予め、荷重の作用し易い部位に、その近傍部位より離隔寸法を広げた幅広部を設けていれば、幼児の荷重によって、左右の縦杆部が接近しても、幅広部の余裕分、両者の離隔距離を十分確保できて、シートに着座している幼児に対し、窮屈な感覚を与えずにバウンサーを使用できる。
【図面の簡単な説明】
【００２５】
【図１】本発明に係る一実施形態のバウンサーの斜視図である。
【図２】実施形態のバウンサーにおけるシートを外した状態の概略斜視図である。
【図３】実施形態のバウンサーにおけるシートを外した状態の底面図である。
【図４】実施形態のバウンサーにおけるシートを外した状態の正面図である。
【図５】実施形態のバウンサーにおけるシートを外した状態の側面図である。
【図６】実施形態のバウンサーにおける角度調整具付近の拡大図であり、順次、シートフレーム部の傾斜角度を大きくしていく状態を示す。
【図７】実施形態のバウンサーにおける角度調整具付近の拡大図であり、順次、シートフレーム部の傾斜角度を大きくしていく状態の図６の後の状態を示す。
【図８】実施形態のバウンサーにおける角度調整具付近の拡大図であり、順次、シートフレーム部の傾斜角度を大きくしていく状態の図７の後の状態を示す。
【図９】実施形態のバウンサーにおける角度調整具付近の拡大図であり、シートフレーム部を下降させる前の横杆を先端凹部に収納する状態を説明する図である。
【図１０】実施形態のバウンサーにおける角度調整具付近の拡大図であり、シートフレーム部を下降させて、最も小さな傾斜角度とする収納溝に横杆が収納される状態を説明する図である。
【図１１】実施形態のバウンサーにおける角度調整具付近の拡大図であり、シートフレーム部を下降させて、横杆が角度調整具の折畳用凹部を通過する状態を示す図である。
【図１２】実施形態のバウンサーにおける角度調整具付近の拡大図であり、横杆が角度調整具の折畳用凹部を通過して係止突起に係止される状態を示す図である。
【図１３】実施形態の角度調整具付近の拡大斜視図であり、横杆が先端凹部に収納された状態を示す。
【図１４】実施形態のバウンサーの折畳状態を示す側面図である。
【発明を実施するための形態】
【００２６】
以下、本発明の一実施形態を図面に基づいて説明すると、実施形態のバウンサー１０は、図１〜３に示すように、設置面Ｆに配置されるベース部２０と、ベース部２０の上方に配置されるシートフレーム部４０と、シートフレーム部４０に組み付けられるシート９０と、を備えて構成される。
【００２７】
ベース部２０は、前端側の前パネル部２１と、前パネル部２１に固定されて後方に延びる脚フレーム部３０と、を備えて構成される。脚フレーム部３０は、上方から見て略Ｕ字形状とするように、鋼管を曲げ加工して形成され、前端側から相互に平行に後方に延びる左右の縦杆部３１，３２と、後縁を拡開した台形の底辺とするように、左右の縦杆部３１．３２の後端相互を連結する連結部３３と、を備えて構成されている。左右の縦杆部３１，３２には、後部側に、相互を連結するように、左右方向に沿って配設される支持軸３５と横軸３６とが、配設されている。支持軸３５は、横軸３６の前方側に配置され、横軸３６は、支持軸３５の後方側に配置されている。
【００２８】
また、縦杆部３１，３２の前端付近の下面側には、後述するシートフレーム部４０の回動軸４２を収納する凹部３１ａ，３２ａ（図１３参照）が、左右方向に連なるように、配設されている。
【００２９】
連結部３３の後端側の左右のコーナ部の下面側には、設置面Ｆに対してずれを防止して、バウンサー１０を載置できるように、下面側に弾性を有したＴＰＥ等の合成樹脂を設け、上面側に形状保持性の高いＡＢＳ樹脂等の合成樹脂を設けた２層構造からなるパッド３８，３８が取り付けられている。
【００３０】
前パネル部２１は、ポリプロピレンやＡＢＳ樹脂等からなる合成樹脂製として、下面側に、脚フレーム部３０の縦杆部３１，３２を収納する前後方向に延びるフレーム収納凹部２２，２２と、シートフレーム部４０の回動軸４２を収納する左右方向に延びる軸収納凹部２３と、を備えている。軸収納凹部２３は、左右方向の中央付近に、後述するシート側調整部４３の縦杆４４，４５を後方に突出可能な縦杆用凹部２４，２４を後方に延設させている。
【００３１】
そして、前パネル部２１には、縦杆部３１，３２をフレーム収納凹部２２から外れないように、縦杆部３１，３２の下面側に前パネル部２１に固定されるポリプロピレン等の合成樹脂からなる当板２６，２６が配設されている。当板２６，２６は、縦杆部３１，３２の凹部３１ａ，３２ａの配置位置に配設されており、シートフレーム部４０の回動軸４２も軸支することとなる。
【００３２】
なお、縦杆部３１，３２は、前端を、前パネル部２１の前縁付近の下面側にねじ止めされ、前パネル部２１の後縁付近で、当板２６によって、下面側を受け止められて、前パネル部２１に取付固定されることとなる。
【００３３】
また、前パネル部２１の左右の縁の下面側にも、設置面Ｆに対してずれを防止して、バウンサー１０を載置できるように、下面側に弾性を有したＴＰＥ等の合成樹脂を設け、上面側に形状保持性の高いＡＢＳ樹脂等の合成樹脂を設けた２層構造からなるパッド３７，３７が取り付けられている。
【００３４】
さらに、前パネル部２１の軸収納凹部２３の左右両端付近には、回動軸４２の下面側を部分的に支持できるように、前後に分割された支持割り面部２３ａが形成されている。支持割り面部２３ａは、下方から回動軸４２を強く軸収納凹部２３内に挿入させれば、前後に割れ、挿入完了後、復元して、回動軸４２の下面側を支持可能となる。
【００３５】
シートフレーム部４０は、図２，４，５に示すように、ベース部２０の前端側で、角度調整機構６０を介在させて、ベース部２０に軸支される回動軸４２を有し、回動軸４２を中心とした後上がりにベース部２０から立ち上がる傾斜角度θを、角度調整機構６０により調整される構成としている。また、シートフレーム部４０は、回動軸４２の上方付近に設けられた弾性変形部５０により、上下に揺動可能とし、かつ、シート９０を組付可能として、ベース部２０の上方に配設される。
【００３６】
実施形態の場合、シートフレーム部４０は、鋼等の弾性変形可能な金属棒からなる前部側の前側軸部４１と、前側軸部４１の後端に嵌合されるステンレス等の金属管からなる後側軸部５５と、を備えて構成される。
【００３７】
前側軸部４１は、左右方向に沿った回動軸４２を前端に配置させ、回動軸４２の左右両縁から上方に立ち上がって後方に延びる縦杆部４８，４９を配置させて構成されている。回動軸４２は、左右方向の中央に、シート側調整部４３を配設させて、左右両側の左側部４２ａと右側部４２ｂとに分割されて配設されている。
【００３８】
縦杆部４８，４９は、左側部４２ａと右側部４２ｂとの両縁から回動軸４２の軸直交方向で立ち上がる立上り部４８ａ，４９ａと、立上り部４８ａ，４９ａから略１／４円弧状に後方に曲がるコーナ部４８ｂ，４９ｂと、を備え、そして、コーナ部４８ｂ，４９ｂの後端側で相互に略直線状に後方向に延びる直線部４８ｃ，４９ｃを経て、相互の離隔距離を広げるように、左右に拡開して、幅広部５３を設けた後、相互に接近するように、曲がる屈曲部４８ｄ，４９ｄを設けて、形成されている。そして、実施形態では、コーナ部４８ｂ，４９ｂ付近が弾性変形部５０を構成している。
【００３９】
後側軸部５５は、左右の略前後方向に延びる縦杆部５６，５７と、縦杆部５６，５７の後端相互を連結する半円弧状の連結部５８と、を備えて構成されている。縦杆部５６，５７の前端には、屈曲部４８ｄ，４９ｄの後端が嵌挿されて、後側軸部５５と前側軸部４１とが連結されている。
【００４０】
幅広部５３の配置位置は、図１に示すように、シート９０をシートフレーム部４０に被せて組み付けた際、シート９０における幼児ＣＨの臀部Ｐを収納する凹部９２と、凹部９２に臀部Ｐを収納させた幼児ＣＨの下肢Ｌを受け止め可能に、凹部９２の下縁９２ａ付近から下方に延びる平面部９３と、の境界、換言すれば、凹部９２の下縁９２ａ付近に配置される。
【００４１】
なお、シート９０は、図１，４に示すように、下方側に挿入用開口９２ｂを設けた組付凹部９０ａを、表裏の布材の間に配設させるとともに、既述の凹部９２と平面部９３とを設けて構成されている。そして、組付凹部９０ａには、シートフレーム部４０の後側軸部５５と弾性変形部５０付近より後方の前側軸部４１の部位とが、挿入されて、シート９０がシートフレーム部４０に組み付けられる。
【００４２】
凹部９２の前側には、シートベルト９５が配設されている。
【００４３】
なお、シートフレーム部４０における回動軸４２のベース部２０による軸支構造は、図３，１３に示すように、左側部４２ａと右側部４２ｂとにおいて、それぞれ、縦杆部３１，３２の凹部３１ａ，３２ａと当板２６との上下の支持と、支持割り面部２３ａの下面側の支持と、により行なわれている。
【００４４】
実施形態の角度調整機構６０は、図１，６〜９に示すように、角度調整具６１、既述のシート側調整部４３、ベース部２０の支持軸３５、及び、ベース部２０の横軸３６、から構成されている。
【００４５】
シート側調整部４３は、シートフレーム部４０の回動軸４２に連結されて、回動軸４２の左側部４２ａと右側部４２ｂとの左右方向の中央側の端部から、それぞれ、対向して後方に延びる縦杆４４，４５と、両側の縦杆４４，４５の先端相互を連結するように、左右方向に沿って配設される横杆４６と、を設けたＵ字状としている。
【００４６】
そして、左右方向に沿ってベース部２０に配設される支持軸３５は、シート側調整部４３の横杆４６の後方側に配設されている。
【００４７】
角度調整具６１は、弾性反発力を発揮可能なポリアセタール等の合成樹脂から形成され、支持軸３５に回動可能に軸支されるとともに、シート側調整部４３の横杆４６を収納可能に、それぞれ、前方側に開口７０ａを設けて後方側に向かって凹むように形成される収納溝７０（７１，７２，７３，７４）が配設されている。これらの収納溝７０における第１収納溝７１，第２収納溝７２，第３収納溝７３，第４収納溝７４は、支持軸３５から略半径方向に沿って離れるにしたがって、後述する弾性変形部８５の付勢方向側（前方側）に、ずれて配置されている。そして、これらの異なった第１収納溝７１，第２収納溝７２，第３収納溝７３，第４収納溝７４に横杆４６を収納することにより、シートフレーム部４０の傾斜角度θを調整可能としている。
【００４８】
実施形態の場合、第１収納溝７１，第２収納溝７２，第３収納溝７３，第４収納溝７４は、順次、支持軸３５から離れて配設されている。そして、支持軸３５から離れた第１収納溝７１，第２収納溝７２，第３収納溝７３，第４収納溝７４に、順次、横杆４６を収納すると、シートフレーム部４０の傾斜角度θが、順次、大きくなるように構成されている。これらの第１収納溝７１，第２収納溝７２，第３収納溝７３，及び、第４収納溝７４では、横杆４６の収納時、内周面の下側部位の支持側壁部７１ｂ，７２ｂ，７３ｂ，７４ｂと内周面の開口７０ａと対向する底面側部位の底壁部７１ｃ，７２ｃ，７３ｃ，７４ｃとを、横杆４６を保持知る保持部位７１ａ，７２ａ，７３ａ，７４ａとして、これらの保持部位７１ａ，７２ａ，７３ａ，７４ａが横杆４６を保持して、傾斜角度θを調整した際のシートフレーム部４０を保持することとなる。支持側壁部７１ｂ，７２ｂ，７３ｂ，７４ｂも、支持軸３５から略半径方向に沿って離れるにしたがって、後述する弾性変形部８５の付勢方向側（前方側）に、ずれて配置されている。
【００４９】
なお、実施形態の角度調整具６１は、支持軸３５を嵌挿させる軸支孔６４ａを設けた軸支部６４が、二分割可能な分割面６２を備え、さらに、分割面６２を間にして対向する部位には、相互に係合可能な係合部６２ａ，６２ｂが配設されている。そのため、支持軸３５を軸支部６４に軸支させる際には、分割面６２，６２相互を支持軸３５の軸方向に沿ってずらしておき、支持軸３５を対応する軸支孔６４ａの内周面側に配置するとともに、係合部６２ａ，６２ｂ相互を係合して、軸支部６４を形成すれば、支持軸３５に対して、角度調整具６１を軸支させて組み立てることができる。
【００５０】
そして、角度調整具６１は、全ての収納溝７０の開口７０ａ側を連通させるように、支持軸３５の軸支部６４から連なって延びて、横杆４６を移動可能な移動用開口部６６、を設けた環状体として構成されている。移動用開口部６６は、軸支部６４側に、第１収納溝７１の開口７０ａから離れて横杆４６を収納可能な元部側凹部６７と、第４収納溝７４の開口７０ａから離れた先端側に、横杆４６を収納可能な先端凹部６８と、を配設させて構成されている。
【００５１】
先端凹部６８の天井面６８ａは、図９のＡ〜Ｃに示すように、第４収納溝７４から離脱した横杆４６が前方回転する際、角度調整具６１を支持軸３５回りで後方回転させるように構成されている。この後方回転時、角度調整具６１は、後述するように、横軸３６が、弾性変形部８５の下側曲面部８５ｄと圧接されていた状態から、凹部８５ｅに嵌合され、その状態で、横杆４６は、先端凹部６８の先端部６８ｂに収納され、それ以上の前方回転が規制されるように、設定されている。
【００５２】
元部側凹部６７には、回動軸４２から略水平方向の後方側に延びるように、シート側調整部４３が倒れる際、横杆４６が収納されることとなる。そして、その際には、シートフレーム部４０は、回動軸４２を回転中心として、最も下方に回転された状態となり、ベース部２０に重なる折畳状態となる。そして、その際の軸支部６４における移動用開口部６６側の内周面には、折畳時のシートフレーム部４０がベース部２０側から不用意に開かないように、横杆４６を、係止解除可能に係止する係止突起８２が、配設されている。
【００５３】
また、角度調整具６１は、軸支部６４から離れた上端６１ａ側を前方へ付勢する付勢手段としての弾性変形部８５が、外周面側の軸支部６４の後面側に、配設されている。この弾性変形部８５は、角度調整具６１と一体成形されて、ベース部２０における支持軸３５の後方に配置されている横軸３６に対して、上端６１ａ側を前方へ付勢するように、換言すれば、角度調整具６１を前方回転させるように、圧接されている。
【００５４】
実施形態の場合、弾性変形部８５は、図６に示すように、角度調整具６１の後面６１ｂ側の下部６１ｃにおいて、すなわち、軸支部６４の後面側において、左右方向に沿った軸心を有して、外周面を横軸３６に圧接可能に、横軸３６側に突出する略半割り円筒状として形成されている。そして、弾性変形部８５は、後方に突出するような略半割り円筒状の曲面部８５ｃの下端の下結合部８５ａと上端の上結合部８５ｂとを、角度調整具６１の後面に一体的に結合させて、角度調整具６１と一体成形されている。曲面部８５ｃには、上下方向の中間部位に、横軸３６を弾性変形させて収納可能な凹部８５ｅが形成され、凹部８５ｅを含めて、凹部８５の下側の下側曲面部８５ｄが、横軸３６に圧接されるエリアとしている。
【００５５】
そして、凹部８５ｅに横軸３６が嵌合されると、図９のＣに示すように、弾性変形部８５の弾性反発力が中立状態となって、角度調整具６１は、支持軸３５回りで、その回転を停止可能に、構成されている。そしてこの時、後述する案内用突条７６や折畳用凹部７８が、角度調整具６１の移動用開口部６６の前側内周面６６ａに配置されていなければ、横杆４６は、先端凹部６８と元部側凹部６７との両者間を、前側内周面６６ａの後方近傍で、各収納溝７０の支持側壁部７１ｂ，７２ｂ，７３ｂ，７４ｂの先端と干渉することなく、往復移動できるように、換言すれば、横杆４６を、回動軸４２を回転中心として、回動することができるように、移動用開口部６６が構成されている。
【００５６】
一方、横軸３６が曲面部８５ｃの下側曲面部８５ｄに圧接されている場合には、角度調整具６１は、図６〜８に示すように、支持軸３５回りで、上端６１ａを前方移動させるように、前方回転するように付勢される。そのため、この状態では、横杆４６が、元部側凹部６７を離脱してから先端凹部６８まで移動するように、回動軸４２を中心として、上方回転すると、まず、横杆４６は、移動用開口部６６の後側内周面６６ｂ側と摺動し、下側曲面部８５ｄの付勢力に抗して、角度調整具６１を後方回転させつつ、第１収納溝７１の下側の支持側壁部７１ｂを乗り越え、乗り越えた横杆４６に対し、第１収納溝７１を嵌めように、下側曲面部８５ｄの付勢力により、角度調整具６１が前方回転し、そして、横杆４６が第１収納溝７１に収納される。さらに、横杆４６を上方回転させると、順次、図６のＢ、図７のＡ〜Ｃ、図８のＡ，Ｂに示すように、下側曲面部８５ｄの付勢力に抗して、角度調整具６１を後方回転させつつ、下側の支持側壁部７２ｂ，７３ｂ，７４ｂを乗り越えて、乗り越えた支持側壁部７２ｂ，７３ｂ，７４ｂの上方の第２収納溝７２，第３収納溝７３，第４収納溝７４に順次収納され、そしてさらに、図９のＡ，Ｂに示すように、第４収納溝７４を離脱することとなる。
【００５７】
すなわち、支持軸３５周りの角度調整具６１の回転時の状態から見れば、横軸３６と圧接される曲面部８５ｃの外周エリアにおいては、付勢エリア８６としての下側曲面部８５ｄと、静止エリア８７としての凹部８５ｅとを備える構成となる。そして、付勢エリア８６としての下側曲面部８５ｄは、元部側凹部６７から横杆４６を離脱させた位置付近から、軸支部６４から最も離れた第４収納溝７４の開口７０ａから横杆４６を離脱させる位置付近まで、角度調整具６１の上端６１ａ側を前方へ付勢するエリアとなる。また、静止エリア８７としての凹部８５ｅは、付勢エリア８６に隣接するエリアとして、図９のＢ，Ｃに示すように、天井面６８ａを経て先端凹部６８へ収納される横杆４６の押圧動作による角度調整具６１の後方回転に伴なって、弾性変形して横軸３６を収納するエリアとなり、そして、角度調整具６１を静止させるエリアとなる。
【００５８】
さらに、実施形態の角度調整具６１には、移動用開口部６６の前側内周面６６ａには、第１収納溝７１に対向する部位に、第１収納溝７１側に隆起する案内用突条７６が配設されている。この案内用突条７６は、図１０のＡ，Ｂに示すように、横軸３６を静止エリア８７に収納させた角度調整具６１の静止状態の際、下降する横杆４６と干渉して、支持軸３５周りで角度調整具６１を前方に回転させて、横軸３６を付勢エリア８６に配置可能で、かつ、図１０のＣに示すように、付勢エリア８６の付勢力による角度調整具６１の前方回転時に、横杆４６を、案内用突条７６から離脱させて、横杆４６を第１収納溝７１に収納させるように案内可能に隆起する案内面７６ａを上面側に備えている。
【００５９】
なお、案内用突条７６の先端と第１収納溝７１や第２収納溝７２の支持側壁部７１ｂ，７２ｂとの間には、横杆４６の軸径より僅かに広い隙間Ｈが配設されている。しかし、この隙間Ｈは、広すぎないことから、横杆４６が、案内面７６ａの押圧に伴なう角度調整具６１の回転によって、横軸３６が静止エリア８７から付勢エリア８８に移行するまで、支持側壁部７１ｂの下面側に入り込むことが無いように、設定されている。
【００６０】
さらに、実施形態の角度調整具６１は、移動用開口部６６が、案内用突条７６に隣接する軸支部６４側の前側内周面６６ａに、折畳用凹部７８を備えて構成されている。この折畳用凹部７８は、図１１のＡ，Ｂに示すように、横杆４６の案内用突条７６のエリアを通過可能な下り傾斜面７９と、下り傾斜面７９に連なって隆起し、支持軸３５周りで角度調整具６１を前方に回転させて、横軸３６を付勢エリア８６に配置可能に、横杆４６と干渉する干渉面８０と、を備えて構成されている。なお、実施形態の場合、案内用突条７６をエリアを通過させる際には、横軸３６が静止エリア８７から外れないように、角度調整具６１を手で保持して、横軸３６を静止エリア８７に収納させた状態を維持させ、そして、横杆４６が下り傾斜面７９を経て干渉面８０付近に到達すれば、角度調整具６１から手を放す。その状態で、横杆４６を下降させれば、図１１のＢ、図１２のＡに示すように、横杆４６が干渉面８０と干渉して、角度調整具６１を支持軸３５周りで前方に回転させることとなり、横軸３６が付勢エリア８６に配置されることとなって、横杆４６が、第１収納溝７１の支持側壁部７１ｂの下方における移動用開口部６６の後側内周面６６ｂと当接する。そしてさらに、横杆４６を下降させれば、横杆４６は、後側内周面６６ｂと摺動して、係止突起８２を乗り越え、そして、元部側凹部６７に収納されることとなる。そしてこの状態では、シートフレーム部４０がベース部２０の上方で重なるように折り畳まれた状態となる（図１４参照）。なお、この折り畳み完了時には、横杆４６による元部側凹部６７の内周面（下面側、すなわち、移動用開口部６６の前側内周面６６ａの下端側）への押圧により、角度調整具６１が前方回転して、横軸３６が下側曲面部８５ｄから離隔される状態となる（図１２のＢ参照）。
【００６１】
実施形態のバウンサー１０では、使用時、シートフレーム部４０にシート９０を被せるように組み付けて使用する。そして、図１４に示すようなベース部２０にシートフレーム部４０を重ねた折畳状態から、シートフレーム部４０の後端４０ａ側を持ち上げると、付勢手段８５としての弾性変形部８５の付勢エリア８６の付勢力により、図１２のＡに示すように、角度調整具６１が上端側を前方に付勢される状態となる。また、シート側調整部４３の横杆４６も、シートフレーム部４０と同様に、持ち上がり、角度調整具６１の移動用開口部６６における収納溝７０側の内周面（後側内周面）６６ｂを、元部側凹部６７から離脱しつつ、摺動する。そして、横杆４６が、図６のＡに示すように、軸支部６４に最も近い第１収納溝７１の開口７０ａの位置に配置されると、付勢手段としての弾性変形部８５の付勢エリア８６の付勢力により、横杆４６をその収納溝７１に収納するように、角度調整具６１が前方移動（前方回転）する。さらに、シートフレーム部４０を持ち上げると、横杆４６が、図６のＢに示すように、角度調整具６１を弾性変形部８５の付勢力に抗して後方側に移動させ（後方回転させ）、収納されていた収納溝７１から離脱し、ついで、軸支部６４から二番目に遠い収納溝７２の開口７０ａの位置に配置され、そして、その配置位置では、再度、弾性変形部８５の付勢力により、横杆４６をその収納溝７２に収納するように、角度調整具６１が前方移動（前方回転）する（図７のＡ参照）。
【００６２】
すなわち、図６〜８に示すように、シートフレーム部４０を持ち上げるにしたがって、付勢手段としての弾性変形部８５の付勢力を利用して、軸支部６４に近い順の収納溝７１，７２，７３，７４に、順次、横杆４６が収納されることとなって、角度調整具６１を手で持たなくとも、シートフレーム部４０の傾斜角度θを小さく規定する順の収納溝７１，７２，７３，７４に、横杆４６を自動的に収納でき、角度調整具６１を手で持たなくともよい分、容易にシートフレーム部４０の角度調整を行うことができる。
【００６３】
したがって、実施形態のバウンサー１０では、シートフレーム部４０の傾斜角度θの調整を簡便に行うことができる。
【００６４】
そして、実施形態のバウンサー１０では、ベース部２０における支持軸３５の後方側に、左右方向に沿う横軸３６が配設されている。さらに、角度調整具６１が、弾性反発力を発揮可能な合成樹脂から形成されるとともに、横軸３６に対して、軸支部６４から離れた上端６１ａ側を前方へ付勢するように、圧接する付勢手段としての弾性変形部８５を、一体的に配設させて、構成されている。
【００６５】
そのため、実施形態では、角度調整具６１の後部側、すなわち、後面６１ｂの下部６１ｃ側に、付勢手段としての弾性変形部８５が一体的に配設されており、別途、ばね等の部品を使用することなく、部品点数を抑制して、バウンサー１０を構成することができる。
【００６６】
勿論、上記の点を考慮しなければ、コイルばねやねじりばね等を付勢手段を使用して、角度調整具６１の上端６１ａを上方に付勢するように構成してもよい。
【００６７】
そして、実施形態では、角度調整具６１の弾性変形部８５が、左右方向に沿った軸心を有して、外周面を横軸３６に圧接可能に、横軸３６側に突出する略半割り円筒状として形成されている。横杆４６の軸支部６４から先端凹部６８まで移動する際の支持軸３５周りの角度調整具６１の回転時に、横軸３６と圧接される弾性変形部８５の外周エリアにおいて、付勢エリア８６と静止エリア８７とが配設されている。付勢エリア８６は、元部側凹部６７から横杆４６を離脱させた位置付近から、軸支部６４から最も離れた収納溝７４の開口７０ａから横杆４６を離脱させる位置まで、角度調整具６１の上端６１ａ側を前方へ付勢可能としている。静止エリア８７は、図９に示すように、付勢エリア８６に隣接して、先端凹部６８への横杆４６の収納時に、弾性変形して横軸３６を収納し、角度調整具６１を静止可能としている。さらに、角度調整具６１の移動用開口部６６が、軸支部６４に最も近い収納溝７１に対向する内周面６６ａに、収納溝７１側に隆起する突条７６を備えている。この突条７６は、横軸３６を静止エリア８７に収納させた角度調整具６１の静止状態の際、下降する横杆４６と干渉して、支持軸３５周りで角度調整具６１を前方に回転させて、横軸３６を付勢エリア８６に配置可能で、かつ、付勢エリア８６の付勢力による角度調整具６１の前方回転時に、横杆４６を、突条７６から離脱させて、横杆４６を収納溝７１に収納させるように案内可能な案内用突条７６として、構成されている（図１０参照）。
【００６８】
そのため、実施形態のバウンサー１０では、図６〜８に示すように、横杆４６を移動用開口部６６の元部側凹部６７から離脱させてから先端凹部６８に収納させるまでは、弾性変形部８５の付勢エリア８６に横軸３６が圧接されて、順次、軸支部６３から遠ざかる順の収納溝７１，７２，７３，７４に横杆４６を収納して、小さい傾斜角度θから大きな傾斜角度θと調整するように、シートフレーム部４０を配置させることができる。そして、横杆４６を移動用開口部６６の先端凹部６８に収納させると、図９，１０に示すように、横軸３６が弾性変形部８５の静止エリア８７に収納されて、角度調整具６１が、その配置状態で、静止する。ついで、シートフレーム部４０を下げて、横杆４６を移動用開口部６６の先端凹部６８から下方に移動させる。この下方移動時、図８に示すように、横杆４６が、案内用突条７６と干渉して、横軸３６の圧接部位を静止エリア８７から付勢エリア８６に配置させるように、角度調整具６１を前方回転させる。そして、付勢エリア８６に横軸３６が圧接されることにより、角度調整具６１が、前方回転するように前方側へ付勢され、案内用突条７６から離脱する横杆４６を第１収納溝７１に収納させ、その結果、シートフレーム部４０が、最も小さな傾斜角度位置に配置される。
【００６９】
すなわち、横杆４６を移動用開口部６６の先端凹部６８に収納させた後では、一旦、横杆４６とともにシートフレーム部４０を下降させるだけで、再度、角度調整具６１を手で持つこと無く、軸支部６４に近い収納溝７１に収納でき、その後、順次、軸支部６４から遠ざかる順の収納溝７２，７３，７３に、横杆４６を収納させることができて、所定の傾斜角度に、シートフレーム部４０を配置させることができる。勿論、横杆４６を移動用開口部６６の先端凹部６８に収納させる際も、角度調整具６１を手で持たなくともよい。そのため、傾斜角度θを大きくした後、小さな角度に戻したりする調整を、角度調整具６１を手で持たなくとも、簡便に行なえる。また、この調整中、シートフレーム部４０から手を離しても、横杆４６の案内用突条７６との干渉を利用して、確実に、軸支部６４に最も近い収納溝７１に横杆４６を収納でき、シートフレーム部４０を急激に折畳状態に落下させるような事態を避けることができ、安全に、シートフレーム部４０の傾斜角度を調整できる。
【００７０】
さらに、実施形態のバウンサー１０では、移動用開口部６６が、案内用突条７６に隣接する軸支部６４側の内周面６６ａに、折畳用凹部７８を備えている。折畳用凹部７８は、横軸３６を静止エリア８７に収納させた状態を維持して、横杆４６の案内用突条７６のエリアを通過可能な下り傾斜面７９と、下り傾斜面７９に連なり、支持軸３５周りで角度調整具６１を前方に回転させて、横軸３６を付勢エリア８６に配置可能に、横杆４６と干渉する干渉面８０と、を備えている。
【００７１】
そのため、実施形態では、図１１のＡ，Ｂに示すように、シートフレーム部４０をベース部２０に重ねる折畳状態とする際、横杆４６が案内用突条７６と干渉しても、横軸３６が静止エリア８７から外れないように、角度調整具６１を手で持って、横杆４６を、案内用突条７６のエリアから折畳用凹部７８の下り傾斜面７９に配置する。その後、角度調整具６１から手を離して、シートフレーム部４０を下げると、図１１のＢ、図１２のＡに示すように、横杆４６が折畳用凹部７８の干渉面８０と干渉して、横杆４６が角度調整具６１を前方回転させる。そして、静止エリア８７から付勢エリア８６に横軸３６の圧接部位が変わることから、横杆４６が、移動用開口部６６における収納溝７０側の内周面６６ｂに当接し、シートフレーム部４０をさらに下げるに従って、図１２のＢに示すように、元部側凹部６７に収納されて、円滑に、シートフレーム部４０の折畳状態に移行できる。
【００７２】
したがって、実施形態では、横杆４６が案内用突条７６のエリアを通過する時だけ、角度調整具６１を持つ必要が生ずるものの、他の傾斜角度の調整や折畳作業は、角度調整具６１をもつ必要が無く、簡便にシートフレーム部４０の上げ下げや折り畳みを行うことができる。
【００７３】
なお、上記の点を考慮しなければ、折畳用凹部７８を設けずに構成してもよい。この場合、案内用突条７６を通過する際に角度調整具６１を手で持ち、元部側凹部６７に横杆４６が配置される直前までは、横軸３６が静止エリア８７に配置されるが、元部側凹部６７に収納される際には、元部側凹部６７の内周面に横杆４６が当たり、角度調整具６１を前方回転させて、横軸３６が、静止エリア８７から付勢エリア８６に移行され、さらに、図１２のＢに示すように、下側曲面部８５から離脱した折り畳み状態となる。
【００７４】
また、実施形態のバウンサー１０では、角度調整具６１の移動用開口部６６が、元部側凹部６７の周縁における横杆４６の元部側凹部６７からの離脱側の縁に、横杆４６を、係止解除可能に係止する係止突起８２を配設させている。
【００７５】
そのため、実施形態では、折畳状態のシートフレーム部４０が、横杆４６を係止突起８２に係止させて、折畳状態を維持できることから、折り畳んでバウンサー１０を持ち運ぶ際、シートフレーム部４０とベース部２０とが開かず、容易に、バウンサー１０を持ち運ぶことができる。勿論、係止突起８２は、係止解除可能に横杆４６を係止していることから、折畳状態のシートフレーム部４０の後端４０ａ側を所定の強い力加減で持ち上げれば、横杆４６が、係止突起８２の係止から解除されて、元部側凹部６７から離脱し、所定の収納溝７０に収納可能となる。
【００７６】
さらに、実施形態のバウンサー１０では、シート９０が、幼児ＣＨの着座時の臀部Ｐ付近を収納する凹部９２と、凹部９２の下縁９２ａ付近から下方に延びて幼児ＣＨの下肢Ｌ付近を受け止める平面部９３と、を備え、シートフレーム部４０が、シート９０の凹部９２と平面部９３との境界部位付近の左右方向の離隔寸法を、上下の近傍部位より広げる幅広部５３を設けて、シート９０を組み付ける左右の縦杆部４８，４９を配設させている。
【００７７】
そのため、実施形態では、シート９０をシートフレーム部４０に組み付けて使用する際、シート９０の凹部９２の平面部９３側の縁９２ａ付近に、最も、幼児ＣＨの荷重が作用し易く、その部位の左右の縦杆部４８，４９が、狭まろうとする。しかし、シートフレーム部４０の左右の縦杆部４８，４９が、予め、荷重の作用し易い部位に、その近傍部位より離隔寸法を広げた幅広部５３を設けていれば、幼児ＣＨの荷重によって、左右の縦杆部４８，４９が接近しても、幅広部５３の余裕分、両者の離隔距離を十分確保できて、シート９０に着座している幼児ＣＨに対し、窮屈な感覚を与えずにバウンサー１０を使用できる。
【符号の説明】
【００７８】
１０…バウンサー、２０…ベース部、３５…（角度調整機構）支持軸、３６…（角度調整機構）横軸、４０…シートフレーム部、４０ａ…（シートフレーム部の）後端、４２…回動軸、４３…シート側調整部、４４…（左）縦杆、４５…（右）縦杆、４６…（角度調整機構）横杆、４８…（左）縦杆部、４９…（右）縦杆部、５０…弾性変形部、５３…幅広部、６０…角度調整機構、６１…角度調整具、６４…軸支部、６６…移動用開口部、６６ａ…前側内周面、６６ｂ…後側内周面、６７…元部側凹部、６８…先端凹部、７０（７１，７２，７３，７４）…収納溝、７０ａ…開口、７６…案内用突条、７８…折畳用凹部、７９…下り傾斜面、８０…干渉面、８２…係止突起、８５…（付勢手段）弾性変形部、８６…付勢エリア、８７…静止エリア、９０…シート、９２…凹部、９２ａ…下縁、９３…平面部、ＣＨ…幼児、Ｐ…臀部、Ｌ…下肢、Ｆ…設置面。
【図１】
0006363427.tif 000002
【図２】
0006363427.tif 000003
【図３】
0006363427.tif 000004
【図４】
0006363427.tif 000005
【図５】
0006363427.tif 000006
【図６】
0006363427.tif 000007
【図７】
0006363427.tif 000008
【図８】
0006363427.tif 000009
【図９】
0006363427.tif 000010
【図１０】
0006363427.tif 000011
【図１１】
0006363427.tif 000012
【図１２】
0006363427.tif 000013
【図１３】
0006363427.tif 000014
【図１４】
0006363427.tif 000015